(57)【要約】　　　（修正有）【課題】ＷＬＡＮと移動電話の連動サービスのためのシステム選択及びデータ伝送方法を提供すること。【解決手段】公衆用ＷＬＡＮと移動電話網との連動システムにおいて、端末で接続を許容するＷＬＡＮのＳＳＩＤリストをアクセスポイントに設定し、ＷＬＡＮ接続のための信号測定段階と、測定した信号強度に基づいて接続システムを選択する接続判断段階と、ＷＬＡＮ接続と判断された場合、接続許容ＳＳＩＤリストに符合するＷＬＡＮチャネルに対して信号強度を周期的に測定した後、ＷＬＡＮ接続に必要な信号品質を保障することが可能なＷＬＡＮチャネルの存在有無に応じて該当ＷＬＡＮチャネル或いは移動電話網へ接続するＷＬＡＮ遂行段階と、移動電話網接続と判断された場合、周期的に接続許容ＳＳＩＤリストに符合するＷＬＡＮチャネルに対して信号強度を測定した後、接続に必要な信号強度を満足すれば、ＷＬＡＮ接続に切り換える移動電話遂行段階とからなる。【選択図】　図３
2004096708.tif 000002
【特許請求の範囲】
【請求項１】
公衆用ＷＬＡＮと移動電話網との連動システムにおいて、
端末で接続を許容するＷＬＡＮのサービス設定ＩＤリストをアクセスポイントに設定し、ＷＬＡＮ接続のための信号強度を測定する信号測定段階と、
前記信号測定段階で測定した信号強度に基づいて接続システムを選択する接続判断段階と、
前記接続判断段階の判断結果、ＷＬＡＮ接続と判断された場合、前記接続許容ＳＳＩＤリストに符合するＷＬＡＮチャネルに対して信号強度を周期的に測定した後、ＷＬＡＮ接続に必要な信号品質を保障することが可能なＷＬＡＮチャネルの存在有無に応じて該当ＷＬＡＮチャネル或いは移動電話網へ接続するＷＬＡＮ遂行段階と、
前記接続判断段階の判断結果、移動電話網接続と判断された場合、周期的に接続許容ＳＳＩＤリストに符合するＷＬＡＮチャネルに対して信号強度を測定した後、接続に必要な信号強度を満足すれば、ＷＬＡＮ接続に切り換える移動電話遂行段階とからなることを特徴とする無線構内情報通信網と移動電話の連動サービスのためのシステム選択及びデータ伝送方法。
【請求項２】
前記信号測定段階は、
システム識別者として使用するＳＳＩＤをアクセスポイントに設定する場合、他の事業者又は独立事業者とは区分される値に設定し、端末は接続許容ＳＳＩＤを少なくとも一つに設定することを特徴とする請求項１記載の無線構内情報通信網と移動電話の連動サービスのためのシステム選択及びデータ伝送方法。
【請求項３】
前記ＷＬＡＮ遂行段階は、
ＷＬＡＮ通信状態で周期的に現在のチャネルに対する信号強度を測定する第１段階と、
前記第１段階の測定値が所定の基準値以下であれば、他のＷＬＡＮチャネルに対する信号強度を測定する第２段階と、
前記第２段階で測定した値が所定の基準値以上であるチャネルの中から、接続許容ＳＳＩＤを有するチャネルを抽出する第３段階と、
前記第３段階で抽出したチャネルの中でも最高の信号強度を維持するチャネルのアクセスポイントに接続する第４段階とを含むことを特徴とする請求項１記載の無線構内情報通信網と移動電話の連動サービスのためのシステム選択及びデータ伝送方法。
【請求項４】
前記第３段階又は第４段階は、他のＷＬＡＮチャネルに対して信号測定を行った後、所定の基準値以上の信号強度を有するチャネルが存在しないか、或いは接続許容ＳＳＩＤを有するチャネルが存在しない場合には、移動電話網への接続を行う段階を含むことを特徴とする請求項１記載の無線構内情報通信網と移動電話の連動サービスのためのシステム選択及びデータ伝送方法。
【請求項５】
前記ＷＬＡＮ遂行段階は、
移動電話網を介してデータの送受信を行う間、周期的にＷＬＡＮの信号強度を測定する第１段階と、
接続許容ＳＳＩＤを有するアクセスポイントから受信した信号強度が所定の基準値以上であれば、該当アクセスポイントに接続し、移動電話網への接続を遮断する第２段階と、
ＷＬＡＮを介して移動ＩＰ登録が完了すると、ＨＡとＷＬＡＮ用ＦＡを介してデータの送受信を行う第３段階とをからなることを特徴とする請求項１記載の無線構内情報通信網と移動電話の連動サービスのためのシステム選択及びデータ伝送方法。
【請求項６】
前記移動電話遂行段階は、
移動電話網接続状態で周期的にＷＬＡＮチャネルに対する信号強度を測定する第１段階と、
前記第１段階の後、接続許容ＳＳＩＤを有するチャネルが存在するか否かを判断する第２段階と、
前記第２段階の判断結果、前記接続許容ＳＳＩＤを有するチャネルが存在しなければ、前記第１段階を繰り返し行い、前記接続許容ＳＳＩＤを有するチャネルが存在しなければ、信号測定値が所定の基準値以上であるか否かを判断する第３段階と、
前記第３段階の判断結果、前記信号測定値が所定の基準値以上であれば、該当ＷＬＡＮチャネルへ接続を変更し、前記信号測定値が所定の基準値以下でれば、接続許容ＳＳＩＤを有するＷＬＡＮチャネルの信号強度を周期的に測定して第３段階を繰り返し行う第４段階とからなることを特徴とする請求項１記載の無線構内情報通信網と移動電話の連動サービスのためのシステム選択及びデータ伝送方法。
【請求項７】
前記移動電話遂行段階は、
ＷＬＡＮ接続状態にある端末が移動ＩＰ（ＭＩＰ）登録を行った後、ホームエイジェント（ＨＡ）に対する登録を行う第１段階と、
ＭＩＰ登録が完了すると、ＨＡと外部エイジェント（ＦＡ）を介してデータの送受信を行う第２段階と、
データ通信中に周期的にＷＬＡＮの信号強度を測定し、信号測定値が所定の基準値以上であれば、接続変更を試みるために、隣接したＷＬＡＮの信号強度を測定する第３段階と、
接続許容ＳＳＩＤを有する他のアクセスポイントの信号が所定の基準値以上と感知されると、ＷＬＡＮ接続のためのアクセスポイントの変更を行う第４段階とからなることを特徴とする請求項１記載の無線構内情報通信網と移動電話の連動サービスのためのシステム選択及びデータ伝送方法。
【請求項８】
前記第１段階は、ＲＡＤＩＵＳ（Ｒｅｍｏｔｅ　Ａｕｔｈｅｎｔｉｃａｔｉｏｎ　Ｄｉａｌ−Ｉｎ　Ｕｓｅｒ　Ｓｅｒｖｉｃｅｓ）に対するＭＩＰ認証を行う段階をさらに含んでなることを特徴とする請求項７記載の無線構内情報通信網と移動電話の連動サービスのためのシステム選択及びデータ伝送方法。
【請求項９】
前記第４段階は、
以前接続アクセスポイントが新しく接続するアクセスポイントと同一の外部エイジェント（ＦＡ）領域内に位置する場合には、移動ＩＰに対する追加登録手続を行わないことを特徴とする請求項７記載の無線構内情報通信網と移動電話の連動サービスのためのシステム選択及びデータ伝送方法。
【請求項１０】
前記第３段階は、
隣接したＷＬＡＮアクセスポイントが存在しない場合、移動電話網との接続を試み、移動電話の移動ＩＰが動作する前にはＷＬＡＮによるデータの送受信を引き続き維持する段階と、
移動ＩＰ登録手続が始まると、ＷＬＡＮによるデータの送受信を遮断し、移動ＩＰ登録手続済みの移動電話網を介してデータの送受信を開始する段階とを含むことを特徴とする請求項７記載の無線構内情報通信網と移動電話の連動サービスのためのシステム選択及びデータ伝送方法。
【請求項１１】
前記信号測定段階は、ＷＬＡＮの信号強度を測定する際、接続許容ＳＳＩＤを有するチャネルを導出し、これに対して信号測定を行った後接続システムを決定することを特徴とする請求項１記載の無線構内情報通信網と移動電話の連動サービスのためのシステム選択及びデータ伝送方法。
【請求項１２】
ＷＬＡＮ信号が所定の基準値以下に弱くなって移動電話網へ接続を変更する場合、移動電話網で接続の試みを始めるためのＷＬＡＮの信号強度は、移動電話網の呼設定時間にＷＬＡＮを介してデータ通信が持続され得る値に設定することを特徴とする請求項１記載の無線構内情報通信網と移動電話の連動サービスのためのシステム選択及びデータ伝送方法。
【請求項１３】
ローミングサービスの際、移動電話網で移動ＩＰ登録手続が始まる前までＷＬＡＮのデータ送受信を維持し、ローミング時のデータ伝送断絶を防止することを特徴とする請求項１記載の無線構内情報通信網と移動電話の連動サービスのためのシステム選択及びデータ伝送方法。
【請求項１４】
移動電話網の接続中にＷＬＡＮ信号が所定の基準値以上に高くなってＷＬＡＮへ接続を変更する場合、ＷＬＡＮアクセスポイントとの接続が行われた直後に移動電話網との接続を解除することを特徴とする請求項１記載の無線構内情報通信網と移動電話の連動サービスのためのシステム選択及びデータ伝送方法。
【請求項１５】
接続中のＷＬＡＮアクセスポイントから受信される信号が弱くなると、隣接ＷＬＡＮアクセスポイントに対する信号検索遂行において、接続許容ＳＳＩＤを有するアクセスポイントに対してのみ信号強度の測定を行うことを特徴とする請求項１又は１１記載の無線構内情報通信網と移動電話の連動サービスのためのシステム選択及びデータ伝送方法。
【発明の詳細な説明】
【０００１】
【発明の属する技術分野】
本発明は、無線構内情報通信網（ＷＬＡＮ）と移動電話の連動サービスのためのシステム選択及びデータ伝送方法に関し、特に、ホットスポット（Ｈｏｔ　ｓｐｏｔ）を主として高速無線インターネット接続サービスを提供する公衆用ＷＬＡＮサービスと、全国単位の通信サービスを提供する移動電話網サービスとが混在する環境で連動サービス提供のためにデータ伝送システムを選択し、これによりデータを伝送する方法に関する。
【０００２】
【従来の技術】
最近、超高速インターネットサービス普及の拡大によりインターネット接続に対する使用者の要求が急増している。このような要求が無線区間に拡大されることにより、国内外通信事業者等は、ＷＬＡＮを用いて超高速インターネットサービスを提供しようとする試みを行っている。
【０００３】
ところが、ＷＬＡＮにおいて、一つのアクセスポイントに対するサービス領域は半径１００ｍ以内であって、移動電話の数百ｍ〜数Ｋｍとは大差がある。このような技術的な問題により、ＷＬＡＮのみでは移動電話と同一の移動性及びサービスカバレッジの提供が不可能である。
【０００４】
従って、超高速無線インターネットサービスに対する需要の多い地域を主としてＷＬＡＮサービスカバレッジを確保してサービスを提供し、その他の地域に対しては移動電話で無線インターネットサービスを提供する相互補完的なサービスの提供が必要となる。
【０００５】
また、このような相互補完的にサービスを連繋するためには、互いに異なる異機種システム及び周波数帯域でのサービス連動が必要である。
【０００６】
ところが、連動サービスを円滑に提供するためには、互いに異なるシステムが混在する場合、実際通信するシステムを選択する方法とデータの円滑なサービスを提供するためのローミング（Ｒｏａｍｉｎｇ）方法が提示されなければならないが、このような方案が提示されていないため、使用者に対してＷＬＡＮと移動電話間の単純な移植性（Ｐｏｒｔａｂｉｌｉｔｙ）サービスのみを提供し、サービスの連続性が保障されるローミングサービスを提供することはできないという問題点があった。
【０００７】
【発明が解決しようとする課題】
従って、本発明は、かかる従来の問題点を解決するためのもので、その目的は、ホットスポットを主として高速無線インターネット接続サービスを提供する公衆用ＷＬＡＮサービスと、全国単位の通信サービスを提供する移動電話網サービスとが混在する環境で連動サービスの提供のためにデータ伝送システムを選択し、これによりデータを伝送する方法を提供することにある。
【０００８】
【課題を解決するための手段】
上記目的を達成するために、本発明に係るＷＬＡＮと移動電話の連動サービスのためのシステム選択及びデータ伝送方法は、公衆用ＷＬＡＮと移動電話網との連動システムにおいて、端末で接続を許容するＷＬＡＮのサービス設定ＩＤリストをアクセスポイントに設定し、ＷＬＡＮ接続のための信号強度を測定する信号測定段階と、前記信号測定段階で測定した信号強度に基づいて接続システムを選択する接続判断段階と、前記接続判断段階の判断結果、ＷＬＡＮ接続と判断された場合、前記接続許容ＳＳＩＤリストに符合するＷＬＡＮチャネルに対して信号強度を周期的に測定した後、ＷＬＡＮ接続に必要な信号品質を保障することが可能なＷＬＡＮチャネルの存在有無に応じて該当ＷＬＡＮチャネル或いは移動電話網へ接続するＷＬＡＮ遂行段階と、前記接続判断段階の判断結果、移動電話網接続と判断された場合、周期的に接続許容ＳＳＩＤリストに符合するＷＬＡＮチャネルに対して信号強度を測定した後、接続に必要な信号強度を満足すれば、ＷＬＡＮ接続に切り換える移動電話遂行段階とからなることを特徴とする。
【０００９】
【発明の実施の形態】
以下、本発明に係る一実施例の動作過程を添付図に基づいて詳細に説明する。
【００１０】
図１は本発明を適用するためのＷＬＡＮと移動電話の連動システムの構成を示す例示図である。
【００１１】
図１を参照すると、ＷＬＡＮは、ネットワークインタフェースカード（ＮＩＣ）を装着した移動端末１００、アクセスポイント（ＡＰ）５００及び認証サーバ（ＡＡＡ）８００から構成され、認証サーバ８００とアクセスポイント５００との間には移動ＩＰ支援のための外部エイジェント（ＦＡ）６００が位置する。
【００１２】
移動電話網は、無線モデム機能を有する移動端末１００、基地局（ＢＴＳ）２００、制御局（ＢＳＣ）３００、データ処理のためのＰＤＳＮ（Ｐａｃｋｅｔ　Ｄａｔａ　Ｓｅｒｖｉｃｅ　Ｎｏｄｅ）４００及び認証サーバ９００から構成される。
【００１３】
次に、このように構成した一実施例の動作過程を添付図に基づいて説明する。
【００１４】
図２は本発明に適用する移動電話網とＷＬＡＮのセル構成を示す例示図である。
【００１５】
図２を参照すると、移動電話網で一つの基地局が収容可能なサービスカバレッジは、ＷＬＡＮでの１つのアクセスポイントが収容可能なサービスカバレッジより大きい。よって、移動電話網とＷＬＡＮ間のサービス連動では、ＷＬＡＮと移動電話網間のサービス連動（矢印（１）、（２））、ＷＬＡＮ間のサービス連動（矢印（３））、及び他の事業者のＷＬＡＮ用アクセスポイントが存在する場合に対する連動（矢印（４））を全て考慮しなければならない。
【００１６】
ＷＬＡＮと移動電話網間の連動の場合には、接続システムが移動電話なのかＷＬＡＮなのかを決定しなければならないが、この際、ＷＬＡＮ信号を周期的に測定し、信号強度に基づいて接続システムを選択する。このような場合（矢印（１））には、移動端末１０１がＷＬＡＮでデータの送受信を行いながらＷＬＡＮの信号強度を測定し、受信信号が所定の境界値（基準値）以下と測定されれば、移動電話網によるデータ送受信に変更する。
【００１７】
ＷＬＡＮと移動電話網間のサービス連動（矢印（２））の場合には、移動端末１０１が移動電話網を介してデータの送受信を行いながら周期的にＷＬＡＮの信号強度を測定し、信号強度が所定の境界値以上になれば、ＷＬＡＮによるデータ送受信に切り換える。
【００１８】
ＷＬＡＮ間のサービス連動（矢印（３））の場合には、現在移動端末１０２が位置したセル（ＷＬＡＮ＿３）５０２と隣接したＷＬＡＮセル（ＷＬＡＮ＿５）５０３が存在するので、移動端末は、現在ＷＬＡＮセル信号が所定の基準値以下に弱くなると、接続許容ＳＳＩＤを有する隣接した他のＷＬＡＮセルの信号を検索した後、最適のＷＬＡＮセルを選択してデータの送受信を行わなければならない。
【００１９】
また、他の事業者のＷＬＡＮ用アクセスポイントが存在する場合に対する連動（矢印４））の場合は、隣接ＷＬＡＮセルが他の独立使用者または他の事業者のＷＬＡＮセルであることを除いては、前記ＷＬＡＮ間のサービス連動（矢印（３））の場合と同一である。この際、移動端末１０３は現在セル（ＷＬＡＮ＿６）５０５、ＷＬＡＮの信号が弱くなる場合、移動電話網によるデータ送受信に変更しなければならない。
【００２０】
このような条件を満足させるためには、ＷＬＡＮでシステム識別者として使用可能なＳＳＩＤ（Ｓｅｒｖｉｃｅ　Ｓｅｔ　ＩＤ）をアクセスポイントに設定するに際して、他の事業者又は独立事業者とは区分される値に設定しなければならない。すなわち、ＷＬＡＮで現在位置したセルのアクセルポイントから受信される信号が弱くなると、隣接ＷＬＡＮアクセスポイントに対する信号検索を行うが、この際、接続許容ＳＳＩＤを有するアクセスポイントについてのみ信号強度の測定を行う。接続許容ＳＳＩＤを有するＷＬＡＮ信号が受信されない際には、移動電話網による接続を試みる。
【００２１】
次にＷＬＡＮの信号強度に基づいて通信モードを決定する過程をより詳細に説明する。
【００２２】
図３は本発明に係る移動端末でのシステム選択手続きの一例を示すフローチャートである。図３に示すように、まず、移動端末は、自分が接続を許容するＷＬＡＮのＳＳＩＤリストを格納していなければならない。移動端末が初期状態でＷＬＡＮ接続のための信号測定を行い、接続許容ＳＳＩＤリストに符合するＷＬＡＮチャネルに対して信号強度を周期的に測定する（Ｓ１００）。その後、前記段階（Ｓ１００）で測定した信号強度に基づいて接続システムを選択する。
【００２３】
接続システムの決定のためにＷＬＡＮがアクティブ状態であるか否かを判断し（Ｓ１０１）、その判断結果、ＷＬＡＮがアクティブ状態であれば、後述する段階（Ｓ１０２）を行い、ＷＬＡＮがアクティブ状態でなければ、段階Ｓ１０６を行う。
【００２４】
前記段階Ｓ１０１の判断結果、ＷＬＡＮがアクティブ状態であれば、ＷＬＡＮ通信状態で周期的に現在のチャネルに対する信号強度を測定し、この測定値が所定の境界値（基準値）以下であれば、他のＷＬＡＮチャネルに対する信号強度を測定し、ＳＳＩＤを検査する（Ｓ１０２）。
【００２５】
前記段階Ｓ１０２の結果に基づいて、測定した値が所定の基準値以上であるチャネルの中から接続許容ＳＳＩＤを有するチャネルが存在するか否かを判断する（Ｓ１０３）。段階Ｓ１０３で許容ＳＳＩＤを有するチャネルが存在すると判断されると、そのチャネルのうち最高の信号強度を維持するチャネルを抽出するために、信号測定値が所定の境界値以上であるか否かを判断する（Ｓ１０４）。段階Ｓ１０４で信号測定値が境界値以上であれば、該当チャネルのアクセスポイントに接続する（Ｓ１０５）。
【００２６】
一方、前記段階Ｓ１０１の判断結果、ＷＬＡＮがアクティブ状態でなければ、移動電話網に初期化／接続する（Ｓ１０６）。その後、周期的にＷＬＡＮチャネルに対する信号強度を測定し、ＳＳＩＤを検査する（Ｓ１０７）。次に、許容ＳＳＩＤを有するチャネルが存在するか否かを判断し（Ｓ１０８）、許容ＳＳＩＤを有するチャネルが存在すると判断されると、信号測定値が所定の境界値以上であるか否かを判断する（Ｓ１０９）。
【００２７】
前記段階（Ｓ１０９）の判断結果、信号測定値が境界値以上であれば、該当ＷＬＡＮチャネルへ接続を変更し（Ｓ１０５）、信号測定値が境界値以下であれば、接続許容ＳＳＩＤを有する他のＷＬＡＮチャネルの信号強度を周期的に測定する（Ｓ１１０）。そして、測定された結果に基づいて前記段階（Ｓ１０９）を繰り返し行う。
【００２８】
図４は本発明に係るＷＬＡＮから移動電話網へのローミング時のデータサービス連動に対する手続を示す例示図である。
【００２９】
図４を参照すると、ＷＬＡＮ接続状態にある移動端末が移動ＩＰ登録を行うと、ＷＬＡＮ用ＦＡ６００は、ＲＡＤＩＵＳ（Ｒｅｍｏｔｅ　Ａｕｔｈｅｎｔｉｃａｔｉｏｎ　Ｄｉａｌ−Ｉｎ　Ｕｓｅｒ　Ｓｅｒｖｉｃｅｓ）に対する移動ＩＰ認証を行った後、さらにホームエイジェント（ＨＡ）７００に対して登録を行う。
【００３０】
移動ＩＰ登録が完了すると、移動端末１００は、ＨＡ７００とＦＡ６００を介してデータの送受信を行う。移動端末１００はＷＬＡＮによるデータ通信中にも周期的にＷＬＡＮの信号強度を測定し、信号強度が所定の基準値以下の場合に接続変更を試みる。すなわち、接続許容ＳＳＩＤを有するアクセスポイントの信号が所定の基準値以上と感知されると、移動端末１００はＷＬＡＮ接続のためのアクセスポイントの変更を行う。この場合、以前接続アクセスポイントが新しく接続するアクセスポイントと同一のＦＡ領域内に位置する場合には、移動ＩＰに対する追加登録手続は必要としない。
【００３１】
一方、隣接したアクセスポイントがない場合、移動端末１００は、移動電話網接続手続を開始し、移動電話の移動ＩＰが動作する前にはＷＬＡＮによるデータ送受信を引き続き行う。移動端末１００で移動電話を介して移動ＩＰ登録手続が始まると、ＷＬＡＮでのデータ送受信は遮断され、移動ＩＰ登録手続が完了すると、移動電話網によるデータ送受信が行われる。
【００３２】
図５は本発明に係る移動電話網からＷＬＡＮへのローミング時のデータサービス連動に対する手続きを示す例示図である。
【００３３】
図５を参照すると、移動端末１００は、移動電話網を介してデータの送受信を行う間、周期的にＷＬＡＮの信号強度を測定する。接続許容ＳＳＩＤを有するアクセスポイントから受信された信号の強度が所定の基準値以上になると、該当アクセスポイントに接続し、移動電話網との連結を遮断する。
【００３４】
その後、ＷＬＡＮを介して移動ＩＰ登録が完了すると、ＨＡ７００とＷＬＡＮ用ＦＡ６００を介してデータの送受信が行われる。
【００３５】
このように、本発明の属する技術分野の当業者は、本発明がその技術的思想又は必須的特徴を変更することなく他の具体的な形態で実施できることを理解するであろう。従って、以上述べた実施例は例示に過ぎず、本発明を限定するものではない。本発明の範囲は発明の詳細な説明よりは特許請求の範囲によって定めるべきであり、特許請求の範囲の意味及び範疇、そしてその等価概念から導出される全ての変更又は変形は本発明の範囲に含まれるものと解釈すべきである。
【００３６】
【発明の効果】
以上説明したように、本発明に係るＷＬＡＮと移動電話の連動サービスのためのシステム選択及びデータ伝送方法は、ホットスポットを主として高速無線インターネット接続サービスを提供する公衆用ＷＬＡＮサービスと、全国単位の通信サービスを提供する移動電話網サービスとが混在する環境で連動サービスの提供のためにデータ伝送システムを選択し、これによりデータを伝送するようにすることにより、ＷＬＡＮと移動電話網間に実質的かつ効率的なサービス連動を可能にして無線インターネットサービスの活性化を促進するという効果などがある。
【図面の簡単な説明】
【図１】本発明を適用するためのＷＬＡＮと移動電話の連動システムの構成を示す例示図である。
【図２】本発明に適用する移動電話網とＷＬＡＮのセル構成を示す例示図である。
【図３】本発明に係る移動端末におけるシステム選択手続の一例を示すフローチャートである。
【図４】本発明に係るＷＬＡＮから移動電話網へのローミング時のデータサービス連動に対する手続を示す例示図である。
【図５】本発明に係る移動電話網からＷＬＡＮへのローミング時のデータサービス連動に対する手続を示す例示図である。
【符号の説明】
１００〜１０３　移動端末
２００〜２０２　基地局
３００　制御局（ＢＳＣ）
４００　ＰＤＳＮ
５００〜５０６　アクセスポイント（ＡＰ）
６００　外部エイジェント（ＦＡ）
７００　ホームエイジェント（ＨＡ）
８００　ＷＬＡＮ用ＡＡＡ
９００　移動電話用ＡＡＡ
【図１】
2004096708.tif 000003
【図２】
2004096708.tif 000004
【図３】
2004096708.tif 000005
【図４】
2004096708.tif 000006
【図５】
2004096708.tif 000007